(57)【要約】【課題】高周波信号や高い周波数を扱うデジタル回路に用いても、電気部品と接触不良を起こさない信頼性の高いＩＣソケットを提供する。【解決手段】ＩＣソケット１は、第１の電気部品２と第２の電気部品３との間に保持されて、第１の電気部品２の外部端子と、第２の電気部品３の外部端子とを電気的に接続する。ＩＣソケット１は、接続すべき第１の電気部品２の外部端子及び第２の電気部品３の外部端子に対応した位置に貫通孔ｏが開設された台座１ａを有し、前記貫通孔ｏには、各電気部品２，３の各外部端子に接続するコンタクト１ｂが内設される。コンタクト１ｂは渦巻きばねによって形成されており、この渦巻きばねの巻き方向が、その伸縮方向の長さの中間点で反転している。これにより、電流の流れる方向に関係なく、巻方向が異なる部分で発生する磁束が互いに打ち消し合うので、高周波特性の劣化やノイズの発生を抑えることができる。【選択図】        図１
2004273398.tif 000002
【特許請求の範囲】
【請求項１】
第１の電気部品と第２の電気部品との間に保持されて、該第１の電気部品の１または複数の外部端子と、該第１の電気部品の各外部端子にそれぞれ対応する１または複数の前記第２の電気部品の外部端子とを電気的に接続するＩＣソケットであって、該ＩＣソケットは、接続すべき前記第１の電気部品の外部端子及び前記第２の電気部品の外部端子に対応した位置に１または複数の貫通孔が開設された台座と、前記貫通孔に内設されて各前記電気部品の各外部端子に接続するコンタクトとを有し、該コンタクトは、渦巻きばねによって形成され、該渦巻きばねは、該渦巻きばねの巻き方向が、該渦巻きばねの伸縮軸方向の長さの中間点で反転する構成を有していることを特徴とするＩＣソケット。
【請求項２】
請求項１に記載のＩＣソケットにおいて、前記コンタクトは、各前記電気部品の各外部端子と接触する表面に導電メッキ処理が施されていることを特徴とするＩＣソケット。
【請求項３】
請求項１に記載のＩＣソケットにおいて、前記貫通孔の周囲壁面に導電メッキ処理が施されていることを特徴とするＩＣソケット。
【請求項４】
請求項３に記載のＩＣソケットにおいて、前記コンタクトは、前記各電気部品の外部端子と接触する領域を除く表面に電気絶縁処理が施されていることを特徴とするＩＣソケット。
【請求項５】
請求項１ないし４のいずれか１に記載のＩＣソケットにおいて、前記コンタクトは、前記渦巻きばねの内部に遊挿された金属またはフェライトからなるピンをさらに有することを特徴とするＩＣソケット。
【発明の詳細な説明】
【０００１】
【発明の属する技術分野】
本発明は、ＩＣソケット、より具体的には導体素子の特性測定及び製品の実装に際し用いられるＩＣソケットに関し、特にＩＣと電気部品との接触不良を軽減する技術に関するものである。
【０００２】
【従来の技術】
図４は、従来のＩＣソケットの構成例を説明するための図で、２つの電気部品の間に配置したＩＣソケットの側断面図を図４（Ａ）に、図４（Ａ）のＢ部（コンタクト挿入部）の部分拡大図を図４（Ｂ）に示すものである。図４において、２１はＩＣソケット、２１ａは台座、２１ｂはコンタクト、２２は第１の電気部品、２２ａは第１の電気部品の外部端子、２３は第２の電気部品、２３ａは第２の電気部品の外部端子、２４は押さえ金具、２５は押さえ板、ｏはＩＣソケットの貫通孔、２６はビス、２７はナット、２８は隙間である。
【０００３】
図４（Ａ）において、第１の電気部品２２が装着されたＩＣソケット２１が、第２の電気部品２３に取り付けられている。すなわち、第１の電気部品２２と第２の電気部品２３とはＩＣソケット２１を介在させて配設されている。ＩＣソケット２１は、台座２１ａに設けられた複数の貫通孔ｏの内部にコンタクト２１ｂが配設されてなるものである。
【０００４】
またＩＣソケット２１を介在させた第１の電気部品２２及び第２の電気部品２３の外側には、それぞれ押さえ板２５と押さえ金具２４とが配設され、これら押さえ板２５と押さえ金具２４とが、ビス２６とナット２７によって締め付け固定されている。
【０００５】
図４（Ｂ）に示すように、ＩＣソケット２１の台座２１ａの貫通孔ｏの内部に内設されたコンタクト２１ｃは、第１の電気部品の外部端子２２ａと第２の電気部品の外部端子２３ａとを電気的に接続する。このとき、第１の電気部品２２とＩＣソケット２１の台座２１ａとの間、及び第２の電気部品２３と台座２１ａとの間には、それぞれ僅かな隙間２８が存在する。
【０００６】
図５は、従来のＩＣソケットの他の構成例を説明するための図で、２つの電気部品の間に配置したＩＣソケットの側断面図を図５（Ａ）に、図５（Ａ）のＢ部（コンタクト挿入部）の部分拡大図を図５（Ｂ）に示すものである。図５において、２１ｃは渦巻きバネで構成されたコンタクトで、その他、図４と同様の機能を有する部分には図４と同じ符号が付してある。
図５に示すＩＣソケットは、コンタクト２１ｃが渦巻きばねで構成されていることを除いて、図４のＩＣソケットと同様の構成を有する。
なお、ＩＣソケットに関わる公知技術としては、特許文献１に記載のＩＣソケットが知られている。
【０００７】
【特許文献１】
特開２００１−２０８７９３号公報
【０００８】
【発明が解決しようとする課題】
上述した図４に示すコンタクトを備えるＩＣソケット２１は、ＩＣソケット２１と各電気部品２２，２３との間に存在する隙間２８の間隔がばらついたり、コンタクト２１ｂが変形したりすることによって、第１の電気部品２２とコンタクト２１ｂとの電気接続、あるいは第２の電気部品２３とコンタクト２１ｂとの電気接続に接触不良が発生するという問題があった。
【０００９】
また図５のコンタクトを備えるＩＣソケット及び上記特許文献１のＩＣソケットにおいては、第１の電気部品２２と第２の電気部品２３間を高周波信号や周波数の高いデジタル信号で通信する場合、コンタクト２１ｃに用いる渦巻きバネによりインダクタ（Ｌ成分）が発生して特性の劣化が起こるため、低周波領域或の信号の通信以外には使用することができないなどの問題があった。
【００１０】
本発明は、上述のごとき実情に鑑みてなされたもので、高周波信号や高い周波数を扱うデジタル回路に用いても、電気部品と接触不良を起こさない信頼性の高いＩＣソケットを提供することを目的とするものである。
【００１１】
【課題を解決するための手段】
上述の課題の解決を図る為、本発明のＩＣソケットは、第１の電気部品と第２の電気部品との間に保持されて、第１の電気部品の１または複数の外部端子と、第１の電気部品の各外部端子にそれぞれ対応する１または複数の第２の電気部品の外部端子とを電気的に接続するＩＣソケットであって、このＩＣソケットは、接続すべき第１の電気部品の外部端子及び第２の電気部品の外部端子に対応した位置に１または複数の貫通孔が開設された台座と、その貫通孔に内設されて各電気部品の各外部端子に接続するコンタクトとを有し、このコンタクトは、渦巻きばねによって形成され、この渦巻きばねは、渦巻きばねの巻き方向が、該渦巻きばねの伸縮軸方向の長さの中間点で反転する構成を有していることを特徴としている。
【００１２】
さらに本発明のＩＣソケットは、上記コンタクトが、各電気部品の各外部端子と接触する表面に導電メッキ処理が施されていることを特徴としている。また本発明のＩＣソケットは、上記貫通孔の周囲壁面に導電メッキ処理が施されていることを特徴としいる。さらに本発明のＩＣソケットは、上記貫通孔の周囲壁面に導電メッキ処理が施されているＩＣソケットにおいて、上記コンタクトが、各電気部品の外部端子と接触する領域を除く表面に電気絶縁処理が施されていることを特徴としている。さらに本発明のＩＣソケットは、上記コンタクトが、渦巻きばねの内部に遊挿された金属またはフェライトからなるピンをさらに有することを特徴としている。
【００１３】
【発明の実施の形態】
図１は、本発明によるＩＣソケットの一実施形態を説明するための図で、２つの電気部品の間に配置したＩＣソケットの側断面図を図１（Ａ）に、図１（Ａ）のＢ部（コンタクト挿入部）の部分拡大図を図１（Ｂ）に示すものである。図１において、１はＩＣソケット、１ａは台座、１ｂはコンタクト、２は第１の電気部品、２ａは第１の電気部品の外部端子、３は第２の電気部品、３ａは第２の電気部品の外部端子、４は押さえ金具、５は押さえ板、ｏはＩＣソケットの貫通孔、６はビス、７はナット、８は隙間である。
【００１４】
図１におけるＩＣソケットの取り付け構造は、従来例によって説明したものと略同様である。第１の電気部品２と第２の電気部品３の夫々の外部端子２ａ，３ａは、ＩＣソケット１のコンタクト１ｂを介して接続される。ＩＣソケット１を介在させた第１の電気部品２及び第２の電気部品３は、押さえ板５と押さえ金具４によって挟持されて、これら押さえ板５と押さえ金具４とがビス６及びナット７によって締め付け固定されている。
【００１５】
ＩＣソケット１の貫通孔ｏにはコンタクト１ｂが配設される。本発明のコンタクト１ｂは、渦巻きばね状の構造となっているので、各電気部品２，３とＩＣソケット１との間の隙間８がばらついても、各電気部品２，３の外部端子２ａ，３ａとコンタクト１ｂとの接触不良の発生を押さえることができる。
【００１６】
また上記従来例によって説明したように、渦巻きばね状のコンタクトはインダクタンス（Ｌ成分）を含むものとなり、高周波信号や高速デジタル信号処理をする電気部品に使用すると性能が劣化してしまう。そこで本実施形態のコンタクト１ｂには、ばねの巻方向がコンタクト１ｂの中間部分で反転する構成を有するコンタクトを用いる。
【００１７】
図２は、本発明のＩＣソケットに適用するコンタクトの構成例とその機能を説明するための図である。渦巻きばね状のコンタクト１ｂの伸縮軸方向の全長をＬとするとき、本実施形態のコンタクト１ｂは、伸縮軸方向の中間点Ｒにて渦巻きばねの巻方向が反転する構成を備える。すなわち、図２において、コンタクト１ｂの下側１／２Ｌの長さの部分をＡ部とし、上側１／２Ｌの長さの部分をＢ部とし、Ａ部における渦巻きばねの巻き方向を仮に右巻きとした場合、Ａ部におけるばねの巻方向は中間点Ｒにて反転し、Ｂ部は左巻の巻方向となる。
【００１８】
上記のようなコンタクト１ｂを用いて、高周波信号や高い周波数のデジタル信号の通信を行うと、Ａ部の渦巻きばねには図２に示すφ１の磁束が発生し、Ｂ部の渦巻きばねにはφ１と逆方向のφ２の磁束が発生する。これにより、電流の流れる方向に関係なく、Ａ部とＢ部で発生する磁束が互いに打ち消し合うので、高周波特性の劣化やノイズの発生を抑えることができる。
【００１９】
また、コンタクト１ｂの表面には、例えば鉛などによる導電メッキ処理を施すことで、経時変化等による電気部品の端子部との接触不良を防ぐことができる。このとき、すくなくとも電気部品の端子部と接触するコンタクト表面に導電メッキ処理を行うようにする。また、台座１ａの貫通孔ｏの周囲壁面に対しても導電メッキ処理を施すことにより、ノイズの吸収及び上述した磁束の打ち消しに効果をさらに向上させることができ、より信頼性を高めることができる。
【００２０】
図３は、本発明のＩＣソケットに適用するコンタクトの他の構成例とその機能を説明するための図である。図３に示す構成のコンタクト１ｂ’は、図２に示すコンタクト１ｂと同様の渦巻きばね（渦巻きばね１１とする）と、その渦巻きばね１１の内部に配設されたピン１２とを有している。すなわち、図３の構成では、渦巻きばね１１の伸縮軸方向の全長をＬとするとき、渦巻きばね１１の伸縮軸方向の中間点Ｒにて渦巻きばね１１の巻方向が反転する構成を備える。すなわち、図３において、渦巻きばねの下側１／２Ｌの長さの部分をＡ部とし、上側１／２Ｌの長さの部分をＢ部とし、Ａ部における渦巻きばね１１の巻き方向を仮に右巻きとした場合、Ａ部におけるばねの巻方向は中間点Ｒにて反転し、Ｂ部は左巻の巻方向となる。
【００２１】
また、渦巻きばね１１の内部に配設されるピン１２は、フェライトあるいは金属によって形成され、これによって発生するノイズを吸収する効果が得られる。さらに、ＩＣソケット１の貫通孔ｏの周囲壁面に導電メッキ処理を施すことにより、ノイズの吸収及び上述した磁束の打ち消しに効果をさらに向上させることができる。この場合は、渦巻きばね１１とピン１２、及び貫通孔ｏの周囲壁面の導電メッキとは電気的絶縁をしておかないと効果が期待できないので、渦巻きばね１１が電気部品の外部端子と接触する領域を除いて、渦巻きばね１１の表面に絶縁メッキ処理等の絶縁処理を施している。
【００２２】
【発明の効果】
上述したように、本発明によれば、高周波信号や高い周波数を扱うデジタル回路に用いても、電気部品と接触不良を起こさない信頼性の高いＩＣソケットを提供することができる。また、信頼性が高いので、強い力で電気部品を抑える必要がなく、また締め付けにアンバランスが生じても電気部品を破損することがないＩＣソケットを提供することができる。
【図面の簡単な説明】
【図１】本発明によるＩＣソケットの一実施形態を説明するための図である。
【図２】本発明のＩＣソケットに適用するコンタクトの構成例とその機能を説明するための図である。
【図３】本発明のＩＣソケットに適用するコンタクトの他の構成例とその機能を説明するための図である。
【図４】従来のＩＣソケットの構成例を説明するための図である。
【図５】従来のＩＣソケットの他の構成例を説明するための図である。
【符号の説明】
１…ＩＣソケット、１ａ…台座、１ｂ…コンタクト、２…第１の電気部品、２ａ…第１の電気部品の外部端子、３…第２の電気部品、３ａ…第２の電気部品の外部端子、４…押さえ金具、５…押さえ板、６…ビス、７…ナット、８…隙間、１１…渦巻きばね、１２…ピン、２１…ＩＣソケット、２１ａ…台座、２１ｂ，２１ｃ…コンタクト、２２…第１の電気部品、２２ａ…第１の電気部品の外部端子、２３…第２の電気部品、２３ａ…第２の電気部品の外部端子、２４…押さえ金具、２５…押さえ板、２６…ビス、２７…ナット、２８…隙間、ｏ…ＩＣソケットの貫通孔、Ｒ…中間点。
【図１】
2004273398.tif 000003
【図２】
2004273398.tif 000004
【図３】
2004273398.tif 000005
【図４】
2004273398.tif 000006
【図５】
2004273398.tif 000007